(57)【要約】【課題】  ビデオカメラの外装部品等はネジ止め、接着等の固定方法により製造段階で取付け固定されているので、いずれも製造段階でのカラーバリエーション展開となる。そのため、使用者が後から変更したいと望んでもできない。  本発明の目的は、複数の外装筐体と、一つ以上の外装飾り部品とを備えたビデオカメラにおいて、外装飾り部品を交換可能とするための着脱機構を備えることにより、特別な工具等を用いずに外装飾り部品を使用者が容易に着脱し交換することで、自由にカラーバリエーションを楽しめるようにすることである。【解決手段】  複数の外装筐体と、一つ以上の外装飾り部品とを備えたビデオカメラにおいて、前記外装飾り部品であるレンズカバーを交換可能とするための着脱機構を備えたことを特徴とする。さらに、組み込み時のスライドガイドのための構造も備える。【選択図】  図４
2005189368.tif 000002
【特許請求の範囲】
【請求項１】
ビデオカメラにおいて、
前記ビデオカメラを構成する複数の外装筐体と、
前記ビデオカメラの外装を構成する一つ以上の外装飾り部品と、
を、有し、
前記外装飾り部品を交換可能とするための着脱機構を備えたことを特徴とするビデオカメラ。
【請求項２】
請求項１記載のビデオカメラにおいて、前記交換可能な外装飾り部品は、レンズ鏡筒部のレンズカバーであることを特徴とするビデオカメラ。
【請求項３】
請求項２記載のビデオカメラにおいて、前記レンズカバーは、一方側を円筒形状、他方側を略直線部を持った半円筒形状であることを特徴とするビデオカメラ。
【請求項４】
請求項２乃至３記載のビデオカメラにおいて、
前記レンズカバーには凸部を、
前記複数の外装筐体のいずれかには凹部を、設け、
前記レンズカバーの凸部と前記いずれかの外装筐体の凹部とを係合する着脱機構を有することを特徴とするビデオカメラ。
【請求項５】
請求項２乃至４記載のビデオカメラにおいて、
前記複数の外装筐体のいずれかに、
前記レンズカバーの円筒部と摺動するための円筒部と、
前記レンズカバーの略直線部と摺動するための段差部と、
を設けた構成とすることを特徴とするビデオカメラ。
【請求項６】
請求項２乃至５記載のビデオカメラにおいて、
前記ビデオカメラと、
前記レンズカバーの円筒形状の内径よりも大きい外径を備えるフードと、
をネジ式で取付けた際に、前記フードと前記レンズカバーとが当接し前記レンズカバーの動作を制限する構成としたことを特徴とするビデオカメラ。
【発明の詳細な説明】
【技術分野】
【０００１】
本発明は、外装飾り部品を交換可能としたビデオカメラに関するものである。
【背景技術】
【０００２】
近年の電子機器は、使用者の趣味趣向に合わせるべく、同一モデルにおいて外装色を製造段階から複数用意する、あるいは、電子機器購入後に使用者自身が外装パネルを交換するといった、いわゆるカラーバリエーション展開が図られてきている。携帯電話などにおいては、上述の両者を達成しているが（例えば、特許文献１、２参照）、ビデオカメラにおいては、後者を達成するには至っていない。
【０００３】
【特許文献１】特開２００２-１２５０２２号公報
【０００４】
【特許文献２】特開２００３-１４３２６８号公報
【特許文献３】特開平７-４３８１０号公報
【非特許文献１】インターネット＜http://www.jvc-victor.co.jp/dvmain/gr-d200/index.html＞
【発明の開示】
【発明が解決しようとする課題】
【０００５】
ビデオカメラは、その構成態様、筐体点数、使用態様など様々な面で携帯電話と異なる。従って、購入後に使用者自身が外装パネルを交換するといった携帯電話の構成を直ちにビデオカメラへ採用できるものではない。
【０００６】
ところで、ビデオカメラの構成は、レンズ開口部やマイク部を備えるフロント側、開閉回転可能な液晶表示部を備える液晶表示側、記録装置を囲うケースからなるグリップ側、ビューファインダーとバッテリー取付け部を備えるリヤ側に別れ、それぞれに構成部品及び外装筐体を配置するものが一般的である。ここで、各構成部品及び各外装筐体は、ネジ止め、接着等の固定手段により固定されている。
【０００７】
上記のような構成となっているビデオカメラにおけるカラーバリエーション展開では、見た目に目立つ部位であるフロント側や液晶表示側に配置している外装筐体の色を変更し対応するようになっている（例えば、非特許文献１参照）。外装筐体の色の変更は塗装によるものが主であり、カラーバリエーションの対象となる外装筐体に塗装を行っている。このとき、一部の外装筐体だけ塗装する場合、塗装範囲の見え方が外装筐体の形状に依存する為、外装筐体の形状が複雑になると見た目も複雑となり好ましくない。
【０００８】
このような問題を解決するために、外装を部分的にカラーバリエーション展開する方法が取られている。該方法としては、外装筐体の一部にマスキングを施し、塗装する手法が一般的である。この場合、塗装範囲の見え方は、外装筐体の形状に依存しないため、一部の外装筐体だけ塗装する場合に比べ、見た目が改善される。しかし、ビデオカメラは、外装筐体の形状が複雑なため、マスキング塗装を施すときに塗料がマスキングの範囲外にはみ出す等の不具合が発生しやすい。これを解決する手法として、従来技術では、予めカラーバリエーションの対象となる部分を限定し、その部分のみを別部品とし塗装し、組立て時に外装筐体に取付ける手法も採られている。例えば、複数の外装筐体とは別に金属製の部品を外装筐体に固定することで、部分的に質感および外観をかえ、色調を替えることでカラーバリエーション展開を達成しているものもある（例えば、特許文献３参照）。
【０００９】
上記のように、使用者の趣味趣向に合わせるべくカラーバリエーション展開を図るわけだが、上述した方法によると、外装部品等はネジ止め、接着等の固定方法により製造段階で取り付け固定されているので、いずれも製造段階でのカラーバリエーション展開となる。そのため、使用者は購入時にカメラの色や、質感を選択できるに過ぎず、後からカメラの色や、質感を変更したいと望んでも達成出来ないという問題があった。
【００１０】
本発明の目的は、特別な工具等を用いずに外装飾り部品を使用者自身が容易に着脱し交換することで、自由にカラーバリエーションを楽しめるビデオカメラを提供することにある。
【課題を解決するための手段】
【００１１】
上記課題を解決するために、本発明は、複数の外装筐体と、一つ以上の外装飾り部品とを備えたビデオカメラにおいて、外装飾り部品を交換可能とするための着脱機構を備えた構成とする。
【発明の効果】
【００１２】
上記の様な構成とすることで、特別な工具等を用いずに外装飾り部品を使用者が容易に着脱し交換することで、自由にカラーバリエーションを楽しむことができる。
【発明を実施するための最良の形態】
【００１３】
以下、本発明によるビデオカメラの一実施例を図１から図９を用いて説明する。
【実施例１】
【００１４】
本実施例によるビデオカメラの構成を、図１から図３及び図６を用いて説明する。図１はビデオカメラの前方斜視図、図２はビデオカメラの後方斜視図、図３はビデオカメラの画像等を表示するためのＬＣＤ（Ｌｉｑｕｉｄ  Ｃｒｙｓｔａｌ  Ｄｉｓｐｌａｙ）部を開いたときの斜視図、図６はビデオカメラの分解斜視図である。
【００１５】
本実施例によるビデオカメラは、レンズ部１、マイク部２、外装飾り部品であるレンズカバー１４、レンズカバー１４を取付けるためのフロントケース１５（後述する）等で構成されるフロント側と、ＬＣＤ部５、ＬＣＤ支点部６、本体ケース１６、Ｌケース２０、基板２１等で構成される液晶表示側と、グリップ部１１、グリップカバー１３、ドライブカバー１７、ドライブユニット１８等で構成されるグリップ側と、ＥＶＦ（Ｅｌｅｃｔｒｉｃ  Ｖｉｅｗ  Ｆｉｎｄｅｒ）部４、リヤカバー１９等で構成されるリヤ側とに別れて構成されている。
【００１６】
映像と音声はレンズ部１、マイク部２を通じて撮影及び集音される。レンズ部１の前に装着されているフード３は後述するフロントケース１５とＭ３７（ＩＳＯ１９４８に準拠）のネジ式により取付け可能になっており、光学的性能を変更したいときは、フード３を外してＭ３７のコンバージョンレンズを装着することが可能となっている。ＥＶＦ部４、ＬＣＤ部５は撮影時、再生時に映像を表示する。ＬＣＤ部５はＬＣＤ支点部６により開閉、回転させることができ、使用状態に適した任意の角度に調整可能となっている。ＬＣＤ部５が閉じているときに隣接する面には、主に再生時に使用する再生操作ボタン７が配置され、ＬＣＤ部５を開いた時に現れる面には、主に撮影時に操作する撮影操作ボタン８が配置されている。Ｌケース２０にＬＣＤ支点部６、ＬＣＤ部５をのせ、本体ケース１６を被せる。モード切替えノブ９は、電源の入切と動画モードと静止画モードの切替えなどを行う。録画ボタン１０は、録画のスタート／ストップのためのボタンである。グリップ部１１、グリップカバー１３及びドライブカバー１７の外装筐体は記録メディアに記録するドライブユニット１８を保護している。記録メディアを交換する際には、取出しノブ１２を操作することでグリップカバー１３が開き、記録メディアが取出し交換可能になる。
【００１７】
そして、レンズカバー１４は本実施例による交換可能な外装飾り部品であり、レンズ部１の側面カバーを保護・形成する部品である。外装飾り部品をビデオカメラらしさが効果的に表現できるレンズ鏡筒部のレンズカバーとすることで、見た目に目立つ部位でのカラーバリエーション展開が可能である。ここで、レンズカバー１４は、カラーバリエーション展開するため、任意の色に塗装またはメッキ等の表面処理を施したものである。レンズカバー１４は、外観が異なった種類のものを複数用意してあるので、使用者はレンズカバー１４を交換してカラーバリエーションを楽しむことができる。尚、レンズカバー１４は表面処理を行わず着色された半透明のプラスチックで成型されたものでもよい。
【００１８】
次に、レンズカバーの着脱機構を、図４、図５及び図７を用い説明する。図４はレンズカバー組込み図（前方斜視図）、図５はレンズカバー組込み図（後方斜視図）、図７はレンズカバー組込みスライド部断面図である。
【００１９】
レンズカバー１４は、一方側が円筒部内径を１４ａとする円筒形状となっており、他方側は略直線部である両端面を１４ｂとする半円筒形状になっている。レンズカバー１４をこのような形状にすることで、着脱時は、レンズ鏡筒部のフロントケース１５の円筒外径とレンズカバー１４の円筒形状の内径１４aとが摺動し、さらにレンズカバー１４の半円筒形状の略直線部である両端面１４ｂと外装筐体とが沿うよう摺動することにより、外装筐体に沿って容易に取付け、取外しができる。
【００２０】
さらに、レンズカバー１４は、本体ケース１６と係合するための係合凸１４ｃ、１４ｄを備えている。フロントケース１５は円筒部外径を１５ａとする円筒部を備えており、フード３を取付けるためのＭ３７ネジ取付部１５ｂを備えている。本体ケース１６は半円筒形状の略直線部である両端面１４ｂと摺動するための凹の段差面１６ａと、係合凸１４ｃ、１４ｄと係合するための係合孔１６ｂ、１６ｃを備えている。
【００２１】
ここで、レンズカバー１４はスライドして組込む方法をとっており、フロントケース１５の円筒部外径１５ａをレンズカバー１４の円筒部内径１４ａの摺動面としてスライドする。さらに、レンズカバー１４をスライドさせる際に、レンズカバー１４の半円筒形状の略直線部である両端面１４ｂが、本体ケース１６の凹の段差面１６ａに沿うような構成にすることにより、レンズカバー１４の回転方向の位置を決め、スライドのガイドとして組み込むことが出来るようになっている。このような構成により、スライドのガイドに沿ってスライドするだけで容易に取付け、取外しができる。
【００２２】
また、スライド動作の最終段階では、レンズカバー１４の係合凸１４ｃ、１４ｄを本体ケース１６に備わる係合孔１６ｂ、１６ｃに挿入することで、レンズカバー１４の半円筒部が本体ケース１６から簡単に離れてしまわないような構成となっている。
【００２３】
レンズカバー１４を組込み後、フード３をフロントケース１５のＭ３７ネジ取付部１５ｂにネジ式（ここで、ネジ式とは特別な工具を用いずにフード３を回転させることによりネジのようにフロントケース１５に取付けることができ、また、取外すときには取付けたときと反対方向にフード３を回すことにより取外しが可能となる機構をいうものとする。）で取付ける。ここで、フード３の外径をレンズカバー１４の内径よりも大きくする。フード３をフロントケース１５に取付けた状態では、フード３がレンズカバー１４と当接しているので、レンズカバー１４がスライド方向に動こうとしても、フード３の外径を乗り越えることはない。従って、レンズカバー１４は、スライドの外れ方向に力が加わったとしても動かない構成となる。このような構成にすることにより、ネジ止め、接着等の固定手段によらず、また取付けに特別な工具を必要としないため、容易に交換可能となる。また、後述する凸凹部のみで係合固定される場合に比べより強固に固定される。これにより、本実施例に係るビデオカメラをバッグに入れ持ち運んでいるようなときに、スライドの外れ方向に力が加わったとしても外れることはなく、紛失や破損につながる心配もない。
【００２４】
次に、係合部の構成について図８、図９を用いて説明する。図８は組み込み後の係合部断面図であり、図９は係合部及びロック部断面図である。
【００２５】
図８では、係合凸１４ｃが、係合孔１６ｂに挟み込まれるように係合されるため、レンズカバー１４の半円筒部が本体ケース１６から離れてしまうようなことはない。図９では、係合凸１４ｄ、係合孔１６ｃも上述したように、レンズカバー１４の半円筒部が本体ケース１６から離れてしまわないように構成したものである。そして、係合凸１４ｄには更にロック凸１４ｅが備わっている。ロック凸１４ｅは係合孔１６ｃへの組み込み過程で本体ケース１６に当接するが、係合凸１４ｄは弾性片となっているので、本体ケース１６に備わる係合孔１６ｃに組み込みされる過程で、撓みながらスライドを継続でき、係合孔１６ｃに備わるロック凹１６ｄにロック凸１４ｅが勘合することで撓みが解消しロックする構成となっている。この構成により、凸凹部で係合固定されるので、取付けに特別な工具を必要としないため、使用者自身が容易に交換可能となる。
【００２６】
次にレンズカバー１４取外し方法であるが、組み込み方法と逆の手順で操作をすることにより可能となる。具体的には、フード３をフロントケース１５に備わるＭ３７ネジ取付部１５ｂから取外すことでレンズカバー１４がスライド可能となる。レンズカバー１４のスライドを開始することで、上述した係合凸１４ｄの撓みロック凸１４ｅとロック凹１６ｄの勘合がはずれロックが解除する。さらに、スライドを続けることでレンズカバー１４を取外すことができる。もちろん係合凸１４ｃを上述のような構成としても構わない。
【００２７】
以上のような構成としたビデオカメラは、交換可能なレンズカバーを備え、特別な工具を使用しないで着脱交換可能である。
【図面の簡単な説明】
【００２８】
【図１】ビデオカメラの前方斜視図
【図２】ビデオカメラの後方斜視図
【図３】ＬＣＤ部を開いたときの斜視図
【図４】レンズカバー組込み図（前方斜視図）
【図５】レンズカバー組込み図（後方斜視図）
【図６】ビデオカメラの分解斜視図
【図７】レンズカバー組込みスライド部断面図
【図８】係合部断面図
【図９】係合部及びロック部断面図
【符号の説明】
【００２９】
１…レンズ部、２…マイク部、３…フード、４…ＥＶＦ部、５…ＬＣＤ部、６…ＬＣＤ支点部、７…再生操作ボタン、８…撮影操作ボタン、９…モード切替えノブ、１０…録画ボタン、１１…グリップ部、１２…取出しノブ、１３…グリップカバー、１４…レンズカバー、１４ａ…円筒部内径、１４ｂ…半円筒形状の略直線部である両端面、１４ｃ…係合凸、１４ｄ…係合凸、１４ｅ…ロック凸、１５…フロントケース、１５ａ…円筒部外径、１５ｂ…Ｍ３７ネジ取付部、１６…本体ケース、１６ａ…凹の段差面、１６ｂ…係合孔、１６ｃ…係合孔、１６ｄ…ロック凹、１７…ドライブカバー、１８…ドライブユニット、１９…リヤカバー、２０…Ｌケース、２１…基板
【図１】
2005189368.tif 000003
【図２】
2005189368.tif 000004
【図３】
2005189368.tif 000005
【図４】
2005189368.tif 000006
【図５】
2005189368.tif 000007
【図６】
2005189368.tif 000008
【図７】
2005189368.tif 000009
【図８】
2005189368.tif 000010
【図９】
2005189368.tif 000011